(57)【特許請求の範囲】
【請求項１】
第１の記録密度で情報信号が記録された第１の領域と、上記第１の記録密度より高密度の第２の記録密度にて情報信号が記録された第２の領域を有する記録媒体に対して情報信号を記録／再生する光ディスク装置において、
上記光ディスクに照射するレーザ光を発する光源を有する光ピックアップと、
上記記録媒体から情報信号を再生する際に、上記光ピックアップから発せられるレーザ光のパワーを、外部信号に基づいて、上記第１の領域については第１のパワーに、上記第２の領域については上記第１の領域より高い第２のパワーに切り替える制御を少なくとも行う制御手段と
を有し、
上記制御手段は、上記外部信号により上記光源からのレーザ光のパワーを切り替える第１のモードと、上記光源からのレーザ光のパワーを一定に保つ第２のモードとを備え、上記光ディスク挿入時は上記第２のモードに設定し、該ディスク情報を読み終えた後に上記第１のモードに切り替えることを特徴とする光ディスク装置。
【請求項２】
上記第１の領域はプリピット領域であり、上記第２の領域はデータ部であることを特徴とする請求項１記載の光ディスク装置。
【請求項３】
上記外部信号は、上記第２の領域から情報信号を再生する際にアクティブとなるリードゲート信号であることを特徴とする請求項２記載の光ディスク装置。
【請求項４】
上記第２のモードにおける一定のパワーは、上記第１のパワーであることを特徴とする請求項１記載の光ディスク装置。
【発明の詳細な説明】
【０００１】
【発明の属する技術分野】
本発明は、光ディスクに対して情報信号を記録／再生する光ディスク装置に関する。
【０００２】
【従来の技術】
従来、情報信号の記録媒体として種々の光ディスクが提案されており、情報信号の書き換えが可能な光ディスクとしては、光磁気（ＭＯ）ディスク及び相変化（ＰＣ）ディスクが提案されている。これら光磁気ディスク及び相変化ディスクについては、より高密度記録を行うための研究が行われているが、読み取り光スポットよりも小さいマークを読み取るのは困難とされていた。
【０００３】
しかし、スポット系よりも小さなマークで読むいわゆるＭＳＲが提案され、最近では、高密度記録された光磁気ディスクの再生のため、磁区拡大再生（ＭＡＭＭＯＳ）や磁壁移動検出（ＤＷＤＤ）が提供されている。
【０００４】
これら磁区拡大再生や磁壁移動検出のいずれも、再生時の光スポットよりも小さなマークを、光スポットで誘起された熱分布により、磁区拡大して読み取る技術である。
【０００５】
【発明が解決しようとする課題】
ところで、光ディスクに対する従来のリードパワーは１．０ｍＷ〜２．０ｍＷ程度であったが、上述の磁区拡大再生や磁壁移動検出による再生には今までより高いリードパワーが必要となる。
【０００６】
しかし、ＩＤ情報などが記録されるプリピット部のデータの再生には磁区拡大再生や磁壁移動検出を使わない。したがって、高いリードパワーにて読み取りを行うと、ＩＤ読み取りの際、リードチャンネルで入力が過大になる。
【０００７】
本発明は、上述の実情に鑑みてなされるものであって、光ディスクのプリピット部について入力が過大にならないようにようにする光ディスク装置を提供することを目的とする。
【０００８】
【課題を解決するための手段】
上述の課題を解決するために、本発明に係る光ディスク装置は、第１の記録密度で情報信号が記録された第１の領域と、上記第１の記録密度より高密度の第２の記録密度にて情報信号が記録された第２の領域を有する記録媒体に対して情報信号を記録／再生する光ディスク装置において、上記光ディスクに照射するレーザ光を発する光源を有する光ピックアップと、外部信号により上記光源からのレーザ光を高いパワーに切り替えるように制御する制御手段とを有し、上記制御手段は、上記外部信号により上記光源からのレーザ光のパワーを切り替える第１のモードと、上記光源からのレーザ光のパワーを一定に保つ第２のモードとを備え、上記光ディスク挿入時は上記第２のモードに設定し、該ディスク情報を読み終えた後に上記第１のモードに切り替えるものである。
【０００９】
すなわち、光ディスク装置は、プリピット部からの過大入力を防ぐためデータ読み取り時のみパワーを上げるような構成として、その手段としてリードゲート信号により制御するものである。
【００１０】
【発明の実施の形態】
以下、本発明の実施の形態として光ディスク装置について、図面を参照して詳細に説明する。
【００１１】
本実施の形態としての光ディスク装置は、図１に示すように、光ディスク２にレーザ光を照射するレーザ光源及び光ディスクからのレーザ光の戻り光を受光する受光部を有する光ピックアップ１と、光ピックアップ１のレーザ光源を駆動するレーザ駆動部１１と、光ピックアップ１からの再生信号に所定の変換を施すリードチャンネル（read channel;rch）と、光ピックアップ１からのサーボ信号のデータにディジタル信号処理を施すディジタル信号処理部（digital signal processor;DSP）４とを有している。
【００１２】
光ピックアップ１に備えられるレーザ光源のレーザダイオード（laser diode;LD）にて発せられた光は、光ディスク２の信号記録面の集光して照射される。光ディスク２からのレーザ光の戻り光は、光ピックアップ２に備えられるフォトダイオード（photo diode;PD）にて受光されて電気信号に変換される。
【００１３】
また、この光ディスク装置は、光ディスク２を回転駆動するスピンドルモータ２と、ＤＳＰ４の制御に基づいてスピンドルモータ５を駆動するスピンドルモータ制御部１２と、光ディスク２に印加する磁界を発生する磁気ヘッド６と、ＤＳＰ４からの制御信号に基づいて磁気ヘッド６を駆動する磁気ヘッド駆動部１３とを有している。
【００１４】
具体的には、ＤＳＰ４は、光ピックアップ制御部１１を介して光ピックアップ１を、スピンドルモータ駆動部１２を介してスピンドルモータ５を、磁気ヘッド制御部１３を介して磁気ヘッド６をそれぞれ制御する。
【００１５】
光ピックアップ１にて受光した再生信号は、データ信号及びサーボ信号に分離されて、データ信号はｒｃｈ３に、サーボ信号はＤＳＰ４にそれぞれ送られる。
【００１６】
ｒｃｈ３は、アナログ信号をディジタル信号に変換するデータ弁別器であり、光ピックアップ１からのデータ信号の２値化を行う。ＤＳＰは、フォーカス、トラッキング、シークなどのサーボ処理関係の他、スピンドルモータ５、磁気ヘッド６の制御、さらには光ピックアップ１の備えるレーザコントローラ（laser contoroller ）の設定などを行う。
【００１７】
そして、光ディスク装置は、接続する例えばＳＣＳＩ（small computer serial interface）のような外部バスからのデータに基づいて光ディスクを制御するＯＤＣ（optical disc contoroller ）７と、ＯＤＣ７からの制御に基づいてこの光ディスク装置の各部を制御するＣＰＵ８とを有している。
【００１８】
ｒｃｈ３より出力されたデータは、ＯＤＣ７に入りここで信号の復号（デコード、ＥＣＣ）等をおこなう。ここではＳＣＳＩなどの外部インターフェースも受け持つ。ＣＰＵ８は、ＯＤＣ７からの制御に応じて、例えば図示しないＲＯＭ等に格納された所定の手順を実行する。
【００１９】
ここで、ＯＤＣ７及びｒｃｈ３はリードゲート（read gate ）のラインで、ＯＤＣ７，ｒｃｈ３及び光ピックアップ１はライトゲート（write gate）のラインにて接続されている。これらリードゲート及びライトゲートについては、さらに後述することにする。
【００２０】
実際のライト（write ）／リード（read）の動作（operation ）中にはenable／disable を示すリードゲート、ライトゲートがＯＤＣ７より出され、これらのゲートによりｒｃｈ３の内部モードの切り替えや光ピックアップ１の備えるレーザパワーコントローラ（ＬＰＣ）の発光タイミングなどを生成する。
【００２１】
従来の光ピックアップ１ではリードパワーの切り替えが必要なかったのでリードゲートが入力されていない。本実施の形態においては、このリードゲートを光ピックアップ１内に接続し、このゲートによるパワー制御を可能とする。なお、ここでのリードゲートとは、厳密にはデータ部リードゲートである。
【００２２】
光ディスク装置においては、レーザー光によりデータを記録／再生する光磁気ディスクはますます高密度化がすすみ、さらなる向上の手段として、再生時の光スポットよりも小さなマークを、光スポットで誘起された熱分布により、磁区拡大して読み取る技術が用いられるようになった。
【００２３】
この技術は、レーザーのスポット系より小さなマークを再生しようとするもので、スポット内の熱分布を巧みに使うことで実現している。そのため従来の光磁気ディスクの再生では必要のなかった熱が重要となるのでリードパワー値が２倍から３倍になることが予想される。
【００２４】
この技術は、再生磁界の必要なものもあるが、まずパワーを上げる事が不可欠になる。しかし、一律にパワーをあげてはＩＤ等の記録されたプレピット部などでは反射光量が大きくなりすぎてリードチャンネルに過大入力が入ってしまいＩＤ情報の欠落を招く恐れがある。
【００２５】
本実施の形態は、プレピット部のような部分を除いてデータ読み取りのために高いレーザパワーを必要とするときのみパワーをあげられるようなレーザー駆動を実現するものである。
【００２６】
続いて、光ピックアップ１に備えられるレーザパワーコントローラ（laser power contoroller; LPC）を含むレーザパワーの制御を行うレーザコントローラのブロックについて説明する。
【００２７】
このレーザコントローラは、図２に示すように、ライトゲート及び後述するレジスタに接続するレジスタバスからの信号に基づいてレーザパワーを制御するレーザパワーコントローラ２１と、光ディスクからの戻り光を受光するフォトダイオード２４と、ＬＰＣ２１からの制御及びフォトダイオード２４にて検出した値に基づいて自動的にパワー制御を行う自動パワー制御部（auto power controller; APC）２２と、レーザ光を発するレーザダイオード２３と、ＡＰＣ２２からの制御に応じてレーザダイオード２３を駆動する電流を制御するトランジスタ２５とを有している。
【００２８】
このレーザコントローラは、大きく分けてレーザダイオード２４のパワーの値を制御するＬＰＣ２１と、実際にそのパワーを駆動し維持させるＡＰＣ２２とに分割される。
【００２９】
ＬＰＣ２１は上述したＤＳＰなどからレジスタ設定が可能になっており、それによりライト（ｗｒｉｔ）／イレース（ｅｒａｓｅ）／リード（ｒｅａｄ）などに対応したレーザパワーの設定が行われる。
【００３０】
そして、ＬＰＣ２１の出力がＡＰＣ ２２ではＬＰＣからの電流出力Ｉｏｕｔとフォトダイオード２４からの戻り電流Ｉｍが関係式
Ｉｏｕｔ＝ｋ×Ｉｍ
を維持するように制御される。
【００３１】
本実施の形態は、このＬＰＣ２１にリードゲートを用いて、そのゲート（gate）信号がアクティブ（active）時とそうでない時の光ディスクからのデータの読み出しに用いるリードパワー（read power）の値を各々の動作に対応して設定できるようにしたものである。なお、このようなモードを同期（sync）モードと呼ぶことにする。
【００３２】
このようなリードパワーの設定について説明する。リードパワーの設定には、図３に示すように、レジスタを制御するレジスタ制御部３１と、複数のレジスタを備えるレジスタブロック３２と、レジスタブロック３２に備えられる複数のレジスタに対応する複数のＤ／Ａコンバータを備えるＤ／Ａブロック３３と、Ｄ／Ａブロック３３からのアナログ信号、リードゲート及びライトゲートに基づいて出力電流Ｉout を決定するカレントスイッチ（current switch）３４とを有している。
【００３３】
レジスタ制御部（register controller ）３１は、内部の各ブロックに通ずる制御信号を発生する。レジスタブロック３２は、リードゲートがアクティブ時のデータリードレジスタ（data read register）３２ａ、それぞれの設定値を格納する、サーボリードレジスタ（servo read register ）３２ｂ、イレースレジスタ（erase register）３２ｃ及びライトレジスタ（write register）３２ｄを備えている。
【００３４】
レジスタブロック３２の備えるレジスタからの出力はＤ／Ａブロックの備える各Ｄ／Ａコンバータに接続されて、Ｄ／Ａ変換がなされる。そして、Ｄ／Ａブロック３３からの出力は、カレントスイッチ３４に入力される。
【００３５】
このカレントスイッチ３４には、その他ライトゲート、リードゲート及びライトデータが入力し、先のＤ／Ａの選択が行われ出力される。
【００３６】
また、上述したリードゲートによる同期モードと、常にサーボリードパワーとなるＤＣモードも用意され、レジスタの設定により選択することができるようになっている。
【００３７】
続いて、リードゲートが入力しているときのデータリードパワーとサーボリードパワーのタイミングのタイミングチャートを図４に示す。
【００３８】
このタイミングチャートにおいては、図４中のＤに示すように、図中の左から右に時間が経過している。そして、図４中のＡには、ローレベルがアクティブのリードゲート信号が、図４中のＣにはローレベル及びハイレベルがＤＣモード及び同期モードにそれぞれ対応するモード信号が示されている。
【００３９】
ここで、図４中のＣに示すモード信号がローレベルのＤＣモードからハイレベルの同期モードに切り替わり、図４中のＡに示すリードゲート信号がアクティブに立ち下がると、図４中のＢに示すように、リードパワーはサーボリードパワーＰ0 からデータリードパワーＰ1 に切り替わる。
【００４０】
なお、本実施の形態で説明した光ディスク装置には、実際には次のように同期モード及びＤＣモードを切り換えることにより、好適に実用に供することができる。
【００４１】
すなわち、レーザパワーを切り換える同期モード及びレーザパワーを一定に保つＤＣモードの切り替えは、下位互換性を考慮して、通常はディスク挿入時はＤＣモードに設定しサーボリードパワーを使用するようにする。そしてＩＤ，ＰＥＰ（phase encode part）等を読み終えた後で同期モードに切り替えるようにする。こうすることで、リードゲートがアクティブとなるＰＥＰ等を読むときに大きなパワーを発生することを防ぐことができる。ここで、ＰＥＰとは、プリピット信号で、種類、セクタなどのディスクの情報が明記されている。通常ドライブは、スタートアップ時にＰＥＰの情報を読むことによりディスクを判別し、内部のドライブ設定等を変更する。
【００４２】
以上説明したように、本実施の形態は、リードゲートによるリードパワーの切り替えが行い、リードパワーは実際にデータ部を読むときとそうでないとき分けて設定し、上述した同期モード及びＤＣモードのＯＮ−ＯＦＦ機能を持つものである。
換言すると、本実施の形態は、リードパワーを２つ以上のモードで想定し、各々がリードゲート信号などの外部信号をトリガにしてパワーのモードを切り替えられるようにすることとそのモードのオン／オフ機能を有するものである。
【００４３】
【発明の効果】
本発明はリードゲートがアクティブのときのみ選択されるリードパワーがあるので、データを読み取り時のように大きいパワーを必要とする場合など限られた時のみパワーを上昇させるので、消費電力削減やレーザダイオードの寿命向上に貢献できる。また、ＩＤ，ＰＥＰなどのプリピット信号でのリードパワーの上昇は信号レベルの過大を引き起こすがこのレーザパワーを切り換える同期モードによりそれを避けることができる。
【図面の簡単な説明】
【図１】光ディスク装置の構成を概略的に示すブロック図である。
【図２】レーザコントローラの構成を示すブロック図である。
【図３】レジスタの設定を説明するブロック図である。
【図４】リードパワーの切り替えを示すタイミングチャートである。
【符号の説明】
１  光ピックアップ、２  光ディスク、３  ｒｃｈ、４  ＤＳＰ、７  ＯＤＣ、８  ＣＰＵ、２１  ＬＰＣ、２２  ＡＰＣ、２３  ＬＤ、３２  レジスタブロック
【図１】
0003928257.tif 000002
【図２】
0003928257.tif 000003
【図３】
0003928257.tif 000004
【図４】
0003928257.tif 000005